(57)【要約】【課題】ＩＰ機器に電磁ノイズが侵入した後、どの程度まで継続してイーサネットフレームの異常が発生するのかを検出すること。【解決手段】試験用ノイズ信号を周期ＴでＩＰ機器５に印加し、各イーサネットフレームの送信間隔がＴの同期検出用イーサネットフレーム群をタイミングをずらしながらＩＰ機器５に送信し、異常イーサネットフレームの発生量が周期的に急増している各時間間隔（同期周期タイミング）を検出し、同期周期タイミングでの異常イーサネットフレームの発生量を計算し、イーサネットフレーム間隔が最短になるように新たなイーサネットフレームを挿入した試験用イーサネットフレーム群を同じ送信パターンでＩＰ機器５に送信し、試験用イーサネットフレーム群を送信した際における同期周期タイミングでの異常イーサネットフレームの発生量を計算し、２つの発生量の差からノイズがＩＰ機器を流れるイーサネットフレームに与える影響を判定する。【選択図】図３
2011234189.tif 000002
【特許請求の範囲】
【請求項１】
コンピュータにより、
電磁ノイズを模擬したノイズ信号を一定時間間隔でＩＰ機器に繰り返し印加する第１ステップと、
前記一定時間間隔で送信される複数のイーサネットフレームを有する第１イーサネットフレーム群を、送信タイミングをずらしながら前記ＩＰ機器に繰り返し送信する第２ステップと、
前記ＩＰ機器を流れるイーサネットフレームは前記ノイズ信号が前記ＩＰ機器に印加された時に影響を受ける可能性があるものとし、前記第１イーサネットフレーム群を送信した際において前記影響を受けた異常イーサネットフレームの単位時間当たりの発生量を時間軸に沿って計測する第３ステップと、
前記異常イーサネットフレームの発生量が周期的に急増している各時間間隔を、ノイズ信号とイーサネットフレームとが周期的に同期している同期周期タイミングとして検出する第４ステップと、
前記同期周期タイミングでの前記異常イーサネットフレームの発生量を計算して記憶手段に記憶する第５ステップと、
前記一定時間間隔の間に１つ以上のイーサネットフレームを追加した第２イーサネットフレーム群を、前記第１イーサネットフレーム群の送信パターンと同じ送信パターンで前記ＩＰ機器に繰り返し送信する第６ステップと、
前記第２イーサネットフレーム群を送信した際における前記同期周期タイミングでの前記異常イーサネットフレームの発生量を計算して前記記憶手段に記憶する第７ステップと、
前記記憶手段から２つの前記発生量を読み出して比較し、前記比較の結果に基づいて電磁ノイズがＩＰ機器を流れるイーサネットフレームに与える影響を判定する第８ステップと、
を有することを特徴とする電磁ノイズイミュニティ診断方法。
【請求項２】
前記第８ステップは、
前記２つの発生量に差がない場合には、前記ノイズ信号が前記ＩＰ機器に印加した時のみイーサネットフレームに影響を与え、前記２つの発生量に差がある場合には、前記ノイズ信号が前記ＩＰ機器に印加した時に加えて、印加時以降もイーサネットフレームに影響を与えていると判定することを特徴とする請求項１に記載の電磁ノイズイミュニティ診断方法。
【請求項３】
前記第２ステップは、
前記複数の第１イーサネットフレーム群を、Ｔ，Ｔ＋ａ，Ｔ＋２ａ，…，２Ｔの時間間隔（ａはイーサネットフレームの最大長を超えない時間間隔）でそれぞれ送信し、２Ｔに到達後はＴに戻ることを特徴とする請求項１又は２に記載の電磁ノイズイミュニティ診断方法。
【請求項４】
電磁ノイズを模擬したノイズ信号を一定時間間隔でＩＰ機器に繰り返し印加する印加手段と、
前記一定時間間隔で送信される複数のイーサネットフレームを有する第１イーサネットフレーム群を、送信タイミングをずらしながら前記ＩＰ機器に繰り返し送信し、前記一定時間間隔の間に１つ以上のイーサネットフレームを追加した第２イーサネットフレーム群を、前記第１イーサネットフレーム群の送信パターンと同じ送信パターンで前記ＩＰ機器に繰り返し送信する送信手段と、
前記ＩＰ機器を流れるイーサネットフレームは前記ノイズ信号が前記ＩＰ機器に印加された時に影響を受ける可能性があるものとし、前記第１イーサネットフレーム群を送信した際において前記影響を受けた異常イーサネットフレームの単位時間当たりの発生量を時間軸に沿って計測する計測手段と、
前記異常イーサネットフレームの発生量が周期的に急増している各時間間隔を、ノイズ信号とイーサネットフレームとが周期的に同期している同期周期タイミングとして検出する検出手段と、
前記第１イーサネットフレーム群を送信した際における前記同期周期タイミングでの前記異常イーサネットフレームの発生量を計算し、前記第２イーサネットフレーム群を送信した際における前記同期周期タイミングでの前記異常イーサネットフレームの発生量を計測して、記憶手段に記憶する計算手段と、
前記記憶手段から２つの前記発生量を読み出して比較し、前記比較の結果に基づいて電磁ノイズがＩＰ機器を流れるイーサネットフレームに与える影響を判定する判定手段と、
を有することを特徴とする電磁ノイズイミュニティ診断システム。
【請求項５】
前記判定手段は、
前記２つの発生量に差がない場合には、前記ノイズ信号が前記ＩＰ機器に印加した時のみイーサネットフレームに影響を与え、前記２つの発生量に差がある場合には、前記ノイズ信号が前記ＩＰ機器に印加した時に加えて、印加時以降もイーサネットフレームに影響を与えていると判定することを特徴とする請求項４に記載の電磁ノイズイミュニティ診断システム。
【請求項６】
前記送信手段は、
前記複数の第１イーサネットフレーム群を、Ｔ，Ｔ＋ａ，Ｔ＋２ａ，…，２Ｔの時間間隔（ａはイーサネットフレームの最大長を超えない時間間隔）でそれぞれ送信し、２Ｔに到達後はＴに戻ることを特徴とする請求項４又は５に記載の電磁ノイズイミュニティ診断システム。
【発明の詳細な説明】
【技術分野】
【０００１】
本発明は、電磁ノイズがＩＰ機器に与える影響を診断する技術に関する。
【背景技術】
【０００２】
従来、ＩＰ機器に電磁ノイズを印加しながらデータを流し、その際に発生するビットエラーの有無によって、電磁ノイズがＩＰ機器に与える影響（イミュニティ）を検証していた。
【０００３】
しかし、ＩＰネットワークの普及に伴い、様々なサービスがＩＰ化されているため、ビットエラーではなくイーサネットフレーム単位又はＩＰパケット単位での検証が必要となっている。また、品質が重要視されるＩＰサービスが増加しており、電磁ノイズによってイーサネットフレームやＩＰパケットの異常がどの程度生じるのかを正確に検証して把握する必要がある。
【０００４】
これらを検証するため、電磁ノイズをＩＰ機器に印加するノイズ印加装置と、ＩＰ機器にイーサネットフレームを送信するＩＰネットワーク制御装置とを用いて、ＩＰ機器に電磁ノイズを印加した場合に発生するイーサネットフレームの異常を計測することが考えられる。
【先行技術文献】
【特許文献】
【０００５】
【特許文献１】特開２０１０−８２０５号公報
【発明の概要】
【発明が解決しようとする課題】
【０００６】
しかしながら、ＩＰ機器に電磁ノイズを印加するノイズ印加装置とイーサネットフレームを送受信するＩＰネットワーク制御装置とが別々であるため、電磁ノイズを印加するタイミングとイーサネットフレームを送信するタイミングとを同期させることが困難であった。そのため、どのような原因によってイーサネットフレームに異常が発生したかを把握することが難しく、ＩＰ機器に侵入した電磁ノイズによってＩＰ機器を流れるイーサネットフレームにどのような影響を及ぼしているのかを分析することは不可能であった。
【０００７】
本発明は、上記を鑑みてなされたものであり、ＩＰ機器に電磁ノイズが侵入した後、どの程度まで継続してイーサネットフレームの異常が発生するのかを検出することを課題とする。
【課題を解決するための手段】
【０００８】
請求項１に記載の電磁ノイズイミュニティ診断方法は、コンピュータにより、電磁ノイズを模擬したノイズ信号を一定時間間隔でＩＰ機器に繰り返し印加する第１ステップと、前記一定時間間隔で送信される複数のイーサネットフレームを有する第１イーサネットフレーム群を、送信タイミングをずらしながら前記ＩＰ機器に繰り返し送信する第２ステップと、前記ＩＰ機器を流れるイーサネットフレームは前記ノイズ信号が前記ＩＰ機器に印加された時に影響を受ける可能性があるものとし、前記第１イーサネットフレーム群を送信した際において前記影響を受けた異常イーサネットフレームの単位時間当たりの発生量を時間軸に沿って計測する第３ステップと、前記異常イーサネットフレームの発生量が周期的に急増している各時間間隔を、ノイズ信号とイーサネットフレームとが周期的に同期している同期周期タイミングとして検出する第４ステップと、前記同期周期タイミングでの前記異常イーサネットフレームの発生量を計算して記憶手段に記憶する第５ステップと、前記一定時間間隔の間に１つ以上のイーサネットフレームを追加した第２イーサネットフレーム群を、前記第１イーサネットフレーム群の送信パターンと同じ送信パターンで前記ＩＰ機器に繰り返し送信する第６ステップと、前記第２イーサネットフレーム群を送信した際における前記同期周期タイミングでの前記異常イーサネットフレームの発生量を計算して前記記憶手段に記憶する第７ステップと、前記記憶手段から２つの前記発生量を読み出して比較し、前記比較の結果に基づいて電磁ノイズがＩＰ機器を流れるイーサネットフレームに与える影響を判定する第８ステップと、を有することを特徴とする。
【０００９】
本発明によれば、電磁ノイズを模擬したノイズ信号を一定時間間隔でＩＰ機器に繰り返し印加し、その一定時間間隔で送信される複数のイーサネットフレームを有する第１イーサネットフレーム群を送信タイミングをずらしながらＩＰ機器に繰り返し送信し、ＩＰ機器を流れるイーサネットフレームはノイズ信号がＩＰ機器に印加された時に影響を受ける可能性があるものとし、第１イーサネットフレーム群を送信した際におおいて該影響を受けた異常イーサネットフレームの単位時間当たりの発生量を時間軸に沿って計測し、異常イーサネットフレームの発生量が周期的に急増している各時間間隔をノイズ信号とイーサネットフレームとが周期的に同期している同期周期タイミングとして検出し、同期周期タイミングでの異常イーサネットフレームの発生量を計算して記憶手段に記憶し、上記一定時間間隔の間に１つ以上のイーサネットフレームを追加した第２イーサネットフレーム群を第１イーサネットフレーム群の送信パターンと同じ送信パターンでＩＰ機器に繰り返し送信し、第２イーサネットフレーム群を送信した際における同期周期タイミングでの異常イーサネットフレームの発生量を計算して記憶手段に記憶し、記憶手段から２つの発生量を読み出して比較し、その比較の結果に基づいて電磁ノイズがＩＰ機器を流れるイーサネットフレームに与える影響を判定するため、ＩＰ機器に電磁ノイズが侵入した後、どの程度まで継続してイーサネットフレームの異常が発生するのかを検出することができる。
【００１０】
請求項２に記載の電磁ノイズイミュニティ診断方法は、請求項１に記載の電磁ノイズイミュニティ診断方法において、前記第８ステップが、前記２つの発生量に差がない場合には、前記ノイズ信号が前記ＩＰ機器に印加した時のみイーサネットフレームに影響を与え、前記２つの発生量に差がある場合には、前記ノイズ信号が前記ＩＰ機器に印加した時に加えて、印加時以降もイーサネットフレームに影響を与えていると判定することを特徴とする。
【００１１】
請求項３に記載の電磁ノイズイミュニティ診断方法は、請求項１又は２に記載の電磁ノイズイミュニティ診断方法において、前記第２ステップが、前記複数の第１イーサネットフレーム群を、Ｔ，Ｔ＋ａ，Ｔ＋２ａ，…，２Ｔの時間間隔（ａはイーサネットフレームの最大長を超えない時間間隔）でそれぞれ送信し、２Ｔに到達後はＴに戻ることを特徴とする。
【００１２】
請求項４に記載の電磁ノイズイミュニティ診断システムは、電磁ノイズを模擬したノイズ信号を一定時間間隔でＩＰ機器に繰り返し印加する印加手段と、前記一定時間間隔で送信される複数のイーサネットフレームを有する第１イーサネットフレーム群を、送信タイミングをずらしながら前記ＩＰ機器に繰り返し送信し、前記一定時間間隔の間に１つ以上のイーサネットフレームを追加した第２イーサネットフレーム群を、前記第１イーサネットフレーム群の送信パターンと同じ送信パターンで前記ＩＰ機器に繰り返し送信する送信手段と、前記ＩＰ機器を流れるイーサネットフレームは前記ノイズ信号が前記ＩＰ機器に印加された時に影響を受ける可能性があるものとし、前記第１イーサネットフレーム群を送信した際において前記影響を受けた異常イーサネットフレームの単位時間当たりの発生量を時間軸に沿って計測する計測手段と、前記異常イーサネットフレームの発生量が周期的に急増している各時間間隔を、ノイズ信号とイーサネットフレームとが周期的に同期している同期周期タイミングとして検出する検出手段と、前記第１イーサネットフレーム群を送信した際における前記同期周期タイミングでの前記異常イーサネットフレームの発生量を計算し、前記第２イーサネットフレーム群を送信した際における前記同期周期タイミングでの前記異常イーサネットフレームの発生量を計測して、記憶手段に記憶する計算手段と、前記記憶手段から２つの前記発生量を読み出して比較し、前記比較の結果に基づいて電磁ノイズがＩＰ機器を流れるイーサネットフレームに与える影響を判定する判定手段と、を有することを特徴とする。
【００１３】
請求項５に記載の電磁ノイズイミュニティ診断システムは、請求項４に記載の電磁ノイズイミュニティ診断システムにおいて、前記判定手段が、前記２つの発生量に差がない場合には、前記ノイズ信号が前記ＩＰ機器に印加した時のみイーサネットフレームに影響を与え、前記２つの発生量に差がある場合には、前記ノイズ信号が前記ＩＰ機器に印加した時に加えて、印加時以降もイーサネットフレームに影響を与えていると判定することを特徴とする。
【００１４】
請求項６に記載の電磁ノイズイミュニティ診断システムは、請求項４又は５に記載の電磁ノイズイミュニティ診断システムにおいて、前記送信手段が、前記複数の第１イーサネットフレーム群を、Ｔ，Ｔ＋ａ，Ｔ＋２ａ，…，２Ｔの時間間隔（ａはイーサネットフレームの最大長を超えない時間間隔）でそれぞれ送信し、２Ｔに到達後はＴに戻ることを特徴とする。
【発明の効果】
【００１５】
本発明によれば、ＩＰ機器に電磁ノイズが侵入した後、どの程度まで継続してイーサネットフレームの異常が発生するのかを検出することができる。
【図面の簡単な説明】
【００１６】
【図１】電磁ノイズイミュニティ診断システムの全体構成を示す図である。
【図２】ＩＰネットワーク制御装置の機能ブロック構成を示す図である。
【図３】電磁ノイズイミュニティ診断処理フローを示す図である。
【図４】同期検出用イーサネットフレーム群を送信した際における同期周期タイミングでの異常イーサネットフレームの発生量を説明する図である。
【図５】試験用イーサネットフレーム群を送信した際における同期周期タイミングでの異常イーサネットフレームの発生量を説明する図である。
【図６】電磁ノイズがＩＰ機器を流れるイーサネットフレームに与える影響の判定方法を説明する図である。
【発明を実施するための形態】
【００１７】
以下、本発明を実施する一実施の形態について図面を用いて説明する。但し、本発明は多くの異なる様態で実施することが可能であり、本実施の形態の記載内容に限定して解釈すべきではない。
【００１８】
図１は、本実施の形態に係る電磁ノイズイミュニティ診断システムの全体構成を示す図である。本電磁ノイズイミュニティ診断システムは、被測定機器であるＩＰ機器５に試験用ノイズ信号を印加するノイズ印加装置１と、ＩＰ機器５にイーサネットフレームを送信して電磁ノイズがＩＰ機器５を流れるイーサネットフレームに与える影響を診断するＩＰネットワーク制御装置３とで構成されている。以下、各装置の有する機能について詳細に説明する。
【００１９】
ノイズ印加装置１は、電磁ノイズを模擬した試験用ノイズ信号を一定時間間隔でＩＰ機器５に繰り返し印加する機能を有している。
【００２０】
ＩＰネットワーク制御装置３は、図２に示すように、フレーム送信部３１と、異常フレーム計測部３２と、同期周期タイミング検出部３３と、異常フレーム発生量計算部３４と、異常フレーム発生量記憶部３５と、影響判定部３６とで構成されている。以下、各機能部の特徴について詳細に説明する。
【００２１】
フレーム送信部３１は、試験用ノイズ信号の印加間隔と同じ一定時間間隔で送信される複数のイーサネットフレームを有する同期検出用イーサネットフレーム群を、送信タイミングをずらしながらＩＰ機器５に繰り返し送信する機能を有している。また、その一定時間間隔の間に１つ以上のイーサネットフレームを追加した試験用イーサネットフレーム群を、第１イーサネットフレーム群の送信パターンと同じ送信パターンでＩＰ機器５に繰り返し送信する機能を有している。
【００２２】
異常フレーム計測部３２は、ＩＰ機器５を流れるイーサネットフレームは試験用ノイズ信号がＩＰ機器５に印加された時に影響を受ける可能性があるものとし、同期検出用イーサネットフレーム群を送信した際において該影響を受けた異常イーサネットフレームの単位時間当たりの発生量を時間軸に沿って計測する機能を有している。また、試験用イーサネットフレーム群を送信した際における異常イーサネットフレームの単位時間当たりの発生量を時間軸に沿って計測する機能を有している。
【００２３】
同期周期タイミング検出部３３は、同期検出用イーサネットフレーム群を送信した際における異常イーサネットフレームの発生量が周期的に急増している各時間間隔を、ノイズ信号とイーサネットフレームとが周期的に同期している同期周期タイミングとして検出する機能を有している。
【００２４】
異常フレーム発生量計算部３４は、同期検出用イーサネットフレーム群を送信した際における同期周期タイミングでの異常イーサネットフレームの発生量を計算して、異常フレーム発生量記憶部３５に記憶する機能を有している。また、試験用イーサネットフレーム群を送信した際における同期周期タイミングでの異常イーサネットフレームの発生量を計測して、上記異常フレーム発生量記憶部３５に記憶する機能を有している。なお、それら２つの発生量を物理的に異なる２つの異常フレーム発生量記憶部３５にそれぞれ記憶するようにしてもよい。
【００２５】
影響判定部３６は、異常フレーム発生量記憶部３５から上記２つの発生量を読み出して比較し、その比較の結果に基づいて電磁ノイズがＩＰ機器５を流れるイーサネットフレームに与える影響を判定する機能を有している。
【００２６】
なお、本実施の形態では、フレーム送信部３１以外の各機能部（異常フレーム計測部３２、同期周期タイミング検出部３３、異常フレーム発生量計算部３４、異常フレーム発生量記憶部３５、影響判定部３６）がＩＰネットワーク制御装置３に備わる構成として説明するが、それらフレーム送信部３１以外の各機能部はＩＰ機器５に印加又は送信された試験用ノイズ信号やイーサネットフレームの受信結果に基づいて各機能を実行するため、ＩＰ機器５にインストールしてＩＰ機器５で各機能を処理させることも可能である。
【００２７】
次に、本実施の形態に係る電磁ノイズイミュニティ診断処理フローについて説明する。図３は、電磁ノイズイミュニティ診断処理フローの一例を示す図である。なお、本実施の形態では、ＩＰ機器５を流れるイーサネットフレームは、電磁ノイズがＩＰ機器５に侵入（印加）した瞬間に、例えば、イーサネットフレーム欠損やＣＲＣエラー等の異常な影響を受ける可能性があることを前提としている。
【００２８】
最初に、Ｓ１において、ノイズ印加装置１により、ＩＰ機器５に対するイミュニティを検証したい電磁ノイズを模擬した波形が決定される。
【００２９】
次いで、Ｓ２において、ノイズ印加装置１により、Ｓ１で決定された波形が、試験用ノイズ信号としてＩＰ機器５に周期Ｔ（秒）で繰り返し印加される。なお、本実施の形態では、このような試験用ノイズ信号の一例として、単一インパルス波形のノイズ信号を用いている。
【００３０】
次いで、Ｓ３において、ＩＰネットワーク制御装置３のフレーム送信部３１により、各イーサネットフレームの送信間隔がＴ（秒）である同期検出用イーサネットフレーム群が、Ｔ（秒），Ｔ＋ａ（秒），Ｔ＋２ａ（秒），…，２Ｔ（秒），Ｔ（秒），Ｔ＋ａ（秒），…のように送信タイミングを少しずつ遅らせるようにずらしながらＩＰ機器５に繰り返し送信される。なお、Ｔ＋ｎａ（秒）が２Ｔ（秒）に達するとＴ（秒）に戻るものとする。ｎは実数であり、ａはイーサネットフレームの最大長を超えない時間間隔である。
【００３１】
次いで、Ｓ４において、異常フレーム計測部３２により、同期検出用イーサネットフレーム群をＩＰ機器５に送信した際における異常イーサネットフレームの単位時間当たりの発生量が、時間軸に沿って計測される。
【００３２】
ここで、Ｓ２の処理によってＩＰ機器５に印加される試験用ノイズ信号を図４（ａ）に示し、Ｓ３の処理によってＩＰ機器５を流れるイーサネットフレームを図４（ｂ）に示す。また、Ｓ４の処理によって得られる異常イーサネットフレームの発生量を図４（ｃ）に示す。最初の同期検出用イーサネットフレーム群ＦＡ１は試験用ノイズ信号と時間的に重ならないので、異常イーサネットフレームは殆ど発生していない。次に、送信タイミングを少しずらした同期検出用イーサネットフレーム群ＦＡ２を送信した場合も、試験用ノイズ信号と時間的に重ならないので、異常イーサネットフレームは殆ど発生していない。しかし、３つ目の同期検出用イーサネットフレーム群ＦＡ３を送信した場合には、試験用ノイズ信号と時間的に重なるので、殆どのイーサネットフレームに異常を来たし、異常イーサネットフレームの発生量が急激に増加する。同期検出用イーサネットフレーム群が一定時間ずつ送信タイミングをずらしながらＩＰ機器５に繰り返し送信されているため、試験用ノイズ信号と同期検出用イーサネットフレーム群とが時間的に完全に重なるタイミングが周期的に現れることになる。
【００３３】
そこで、Ｓ５において、同期周期タイミング検出部３３により、異常イーサネットフレームの発生量が周期的に急増している各時間間隔が、ノイズ信号とイーサネットフレームとが周期的に同期している同期周期タイミングとして検出される。なお、急増している各時間間隔（同期周期タイミング）は周期的に現れるため、そのような各時間間隔を検出することは容易である。一例として、所定の閾値以上の発生量を有する同期検出用イーサネットフレーム群の送信時間が挙げられる。
【００３４】
次いで、Ｓ６において、異常フレーム発生量計算部３４により、同期検出用イーサネットフレーム群を送信した際における同期周期タイミングでの異常イーサネットフレームの発生量が計算されて、第１発生量として異常フレーム発生量記憶部３５に記憶される。なお、Ｓ４の処理で異常イーサネットフレームの発生量が計測された時点で異常イーサネットフレームの発生量が急激に増加している時間間隔を把握できるため、Ｓ４→Ｓ６→Ｓ５の順番で処理することも可能である。
【００３５】
次いで、ＩＰ機器５への試験用ノイズ信号の印加を継続しながら、Ｓ７において、フレーム送信部３１により、同期検出用イーサネットフレーム群の各イーサネットフレーム間隔が最短になるように新たなイーサネットフレームをそれぞれ挿入した試験用イーサネットフレーム群が、Ｔ（秒），Ｔ＋ａ（秒），Ｔ＋２ａ（秒），…，２Ｔ（秒），Ｔ（秒），Ｔ＋ａ（秒），…のように送信タイミングを少しずつ遅らせるようにずらしながらＩＰ機器５に繰り返し送信される。なお、ｎとａの定義は前述したものと同様である。
【００３６】
次いで、Ｓ８において、異常フレーム計測部３２により、試験用イーサネットフレーム群をＩＰ機器５に送信した際における異常イーサネットフレームの単位時間当たりの発生量が、時間軸に沿って計測される。
【００３７】
ここで、ＩＰ機器５に継続して印加されている試験用ノイズ信号を図５（ａ）に示し、Ｓ７の処理によってＩＰ機器５を流れるイーサネットフレームを図５（ｂ）に示す。また、Ｓ８の処理によって得られる異常イーサネットフレームの発生量を図５（ｃ）に示す。ここでは、試験用ノイズ信号とイーサネットフレームとが時間的に重なった箇所でイーサネットフレームに異常を来たしているだけでなく、隣接するイーサネットフレームも異常を起こしている。つまり、試験用ノイズ信号がＩＰ機器５に印加された瞬間だけでなく、その後も影響が残り、イーサネットフレームの異常が発生している。すなわち、同期検出用イーサネットフレーム群よりも多くのイーサネットフレームをＩＰ機器５に送信していることにより、試験用ノイズ信号の印加時以降も試験用ノイズ信号の影響が残るため、どの試験用イーサネットフレーム群を送信した場合であっても、ほぼ同量の異常イーサネットフレームが発生することになる。
【００３８】
次いで、Ｓ９において、異常フレーム発生量計算部３４により、試験用イーサネットフレーム群を送信した際における同期周期タイミングでの異常イーサネットフレームの発生量が計算されて、第２発生量として異常フレーム発生量記憶部３５に記憶される。
【００３９】
次いで、Ｓ１０において、影響判定部３６により、異常フレーム発生量記憶部３５から第１発生量と第２発生量とが読み出され、第１発生量と第２発生量とを比較することにより、電磁ノイズの電圧がＩＰ機器５にかかった瞬間だけイーサネットフレームに異常が生じるのか、又は電磁ノイズの電圧がＩＰ機器５にかかった瞬間とそれ以降もイーサネットフレームに異常を生じるのかが分析・診断される。例えば、第１発生量と第２発生量との差が計算され、差がない場合には、試験用ノイズ信号がＩＰ機器５に印加した時のみイーサネットフレームに影響を与えていると判定され、差がある場合には、試験用ノイズ信号がＩＰ機器５に印加した時に加えて、印加時以降もイーサネットフレームに影響を与えていると判定される。
【００４０】
図６に示すように、試験用ノイズ信号と同期検出用イーサネットフレーム群とが時間的に重なった際に発生した異常イーサネットフレームと同じ周期で発生した試験用イーサネットフレーム群の異常イーサネットフレームの発生量の差（図６の斜線箇所）が、ＩＰ機器５に電磁ノイズが侵入した後も継続してイーサネットフレームに異常を来たしていたことを示すことになる。なお、第１発生量と第２発生量との差の計算に代えて、第１発生量と第２発生量との比較により上記判定を行うことも可能である。
【００４１】
本実施の形態によれば、試験用ノイズ信号を周期Ｔ（秒）でＩＰ機器５に繰り返し印加し、各イーサネットフレームの送信間隔がＴ（秒）である同期検出用イーサネットフレーム群をＴ（秒），Ｔ＋ａ（秒），Ｔ＋２ａ（秒），…，２Ｔ（秒），Ｔ（秒），Ｔ＋ａ（秒），…のように送信タイミングを少しずつ遅らせるようにずらしながらＩＰ機器５に繰り返し送信し、同期検出用イーサネットフレーム群を送信した際における異常イーサネットフレームの単位時間当たりの発生量を時間軸に沿って計測し、異常イーサネットフレームの発生量が周期的に急増している各時間間隔を試験用ノイズ信号とイーサネットフレームとが周期的に同期している同期周期タイミングとして検出し、その同期周期タイミングでの異常イーサネットフレームの発生量を計算し、同期検出用イーサネットフレーム群の各イーサネットフレーム間隔が最短になるように新たなイーサネットフレームをそれぞれ挿入した試験用イーサネットフレーム群をＴ（秒），Ｔ＋ａ（秒），Ｔ＋２ａ（秒），…，２Ｔ（秒），Ｔ（秒），Ｔ＋ａ（秒），…のように送信タイミングを少しずつ遅らせるようにずらしながらＩＰ機器５に繰り返し送信し、試験用イーサネットフレーム群を送信した際における同期周期タイミングでの異常イーサネットフレームの発生量を計算し、２つの発生量の差に基づいて電磁ノイズがＩＰ機器を流れるイーサネットフレームに与える影響を判定するので、ＩＰ機器に電磁ノイズが侵入した後、どの程度まで継続してイーサネットフレームの異常が発生するのかを検出することができる。これにより、ＩＰ機器５の電磁ノイズに対する誤作動等の挙動を明らかにすることが可能となる。
【００４２】
最後に、ノイズ印加装置１とＩＰネットワーク制御装置３とは、コンピュータで構成される。すなわち、異常フレーム発生量記憶部３５は、メモリ等の記憶手段で実現される。また、フレーム送信部３１と、異常フレーム計測部３２と、同期周期タイミング検出部３３と、異常フレーム発生量計算部３４と、影響判定部３６とは、ＣＰＵ等の演算手段で実現され、プログラムで実行される。
【００４３】
また、ノイズ印加装置１とＩＰネットワーク制御装置３とをプログラムとして光記憶装置や磁気記憶装置等の記録媒体に読出可能に記録し、この記録媒体をコンピュータに組み込んだり、若しくは記録媒体に記録されたプログラムを、任意の通信回線を介してコンピュータにダウンロードしたり、又は記録媒体からインストールし、該プログラムでコンピュータを動作させることにより、上述した各処理動作をノイズ印加装置１とＩＰネットワーク制御装置３として機能させることができるのは勿論である。
【符号の説明】
【００４４】
１…ノイズ印加装置（印加手段）
３…ＩＰネットワーク制御装置
５…ＩＰ機器
３１…フレーム送信部（送信手段）
３２…異常フレーム計測部（計測手段）
３３…同期周期タイミング検出部（検出手段）
３４…異常フレーム発生量計算部（計算手段）
３５…異常フレーム発生量記憶部（記憶手段）
３６…影響判定部（判定手段）
Ｓ１〜Ｓ１０…ステップ
【図１】
2011234189.tif 000003
【図２】
2011234189.tif 000004
【図３】
2011234189.tif 000005
【図４】
2011234189.tif 000006
【図５】
2011234189.tif 000007
【図６】
2011234189.tif 000008